(57)【特許請求の範囲】
【請求項１】
トレーナの背中に対応する略Ｉ型形状の扁平板よりなる背当り部と、該背当り部のＴ型形状の上片部両端の前面側に位置して前方に向けて延設された肩掛用の２本のショルダー片よりなるショルダー部と、上記扁平板よりなる背当り部の背面側に設けられ、複数の錘の内の所望の錘を取付けることにより所望の重量を設定する重量設定部と、上記ショルダー部の各ショルダー片と上記背当り部の扁平板との間に設けられ、上記ショルダー部の各ショルダー片と上記背当り部の扁平板を上記トレーナの脇部に対して締付ける締付手段と、上記扁平板よりなる背当り部の上下両片部の背面部両側に設けられ、所定の高さの掛止具に掛止められるアーム状の掛止部とからなり、上記重量設定部に所定の重量の錘を取り付けた状態で、上記ショルダー部の２本のショルダー片を両肩にかけ、かつ上記締付手段により締付けて上記扁平板よりなる背当り部をトレーナの背中に装着して腕立て伏せをすることにより、筋力トレーニングを行うようにしてなる筋力トレーニング装置であって、上記２本のショルダー片は、上記背当り部のＴ型形状の上片部両端の前面側に位置して、トレーナの首の太さよりも広い間隔で、かつ同トレーナの首の太さよりも長い所定の長さ前方に延設されていることを特徴とする筋力トレーニング装置。
【発明の詳細な説明】
【０００１】
【発明の属する技術分野】
【０００２】
本願発明は、ベンチプレス等のトレーニング器具の代替器具として使用される筋力トレーニング装置に関するものである。
【従来の技術】
【０００３】
従来、例えば体の筋肉を鍛練増強するためのトレーニング施設としては、一般にスポーツジムが良く知られている。そして、同スポーツジムには、例えばベンチプレスその他の各種の筋力トレーニング装置が置かれている。ベンチプレスは、通常バーベル、ダンベル、その他のマシンを使用して行われるが、例えばバーベルを使用してベンチプレスを行う場合には、ベンチ台上にトレーナが仰向けになった状態で寝て、所望の重さのバーベルを両手に持ち、胸から上の位置で上げ下げすることにより筋力トレーニングするようにしている。
【発明が解決しようとする課題】
【０００４】
ところが、上記のようなスポーツジムに通うことは面倒であり、開館時間の制約もある。またスポーツジムは一般に有料の施設の場合が多く、費用が嵩むという問題もある。
【０００５】
そこで、例えば家庭でベンチプレス台およびバーベルなどの器具を購入して使用することも考えられるが、同器具は高価であり、また大きさや重量も比較的大であることから、床の強度や部屋の広さなどの点を含めて一般の家庭では適切な使用場所や保管場所がないのが普通である。さらに、ベンチプレスの場合、トレーニング中に上記バーベルが胸部上に落下すると危険であり、場合によっては補助者が必要となるなどの問題もある。
【０００６】
一方、家庭内で腕立て伏せをすることにより、簡易に腕や胸の筋力を鍛練することもできるが、この腕立て伏せによる筋力トレーニングの場合には、腕や胸に掛かる重量が常に一定の体重分だけであることから、筋力が増大してくると、ベンチプレスに代るトレーニング方法としては絶対重量が不足するようになり、腕や胸の筋力を十分に鍛練することができなくなる。通常ベンチプレスの場合、８〜１２レップ可能な重量設定が目安であり、筋力の発達に応じて重量が設定されるが、腕立て伏せの場合、そのように筋力の発達に応じて腕および胸の筋肉にかかる重量そのものを適切に増大させて行くことができないという問題がある。したがって、筋力の増強には限界がある。
【０００７】
本願発明は、以上のような課題を解決するためになされたものであって、上記腕立て伏せによる筋力トレーニングの簡易さに着目し、その特徴を活かしながら重量不足、重量設定ができない欠点を有効に改善することにより、安全で簡易に且つ十分なベンチプレス対応の筋力トレーニングを行うことができ、しかも低コスト、小スペースで一般家庭でも適切に使用、保管し得るようにした筋力トレーニング装置を提供することを目的とするものである。
【課題を解決するための手段】
【０００８】
本願発明は、上記の目的を達成するために、次のような課題解決手段を備えて構成されている。
【０００９】
すなわち、本願発明の筋力トレーニング装置は、トレーナの背中に対応する略Ｉ型形状の扁平板よりなる背当り部と、該背当り部のＴ型形状の上片部両端の前面側に位置して前方に向けて延設された肩掛用の２本のショルダー片よりなるショルダー部と、上記扁平板よりなる背当り部の背面側に設けられ、複数の錘の内の所望の錘を取付けることにより所望の重量を設定する重量設定部と、上記ショルダー部の各ショルダー片と上記背当り部の扁平板との間に設けられ、上記ショルダー部の各ショルダー片と上記背当り部の扁平板を上記トレーナの脇部に対して締付ける締付手段と、上記扁平板よりなる背当り部の上下両片部の背面部両側に設けられ、所定の高さの掛止具に掛止められるアーム状の掛止部とからなり、上記重量設定部に所定の重量の錘を取り付けた状態で、上記ショルダー部の２本のショルダー片を両肩にかけ、かつ上記締付手段により締付けて上記扁平板よりなる背当り部をトレーナの背中に装着して腕立て伏せをすることにより、筋力トレーニングを行うようにしてなる筋力トレーニング装置であって、上記２本のショルダー片は、上記背当り部のＴ型形状の上片部両端の前面側に位置して、トレーナの首の太さよりも広い間隔で、かつ同トレーナの首の太さよりも長い所定の長さ前方に延設されている。
【００１０】
したがって、先ず本願発明の筋力トレーニング装置では、上記背当り部のＴ型形状の上片部両端の前面側から前方に延びるショルダー部の２本のショルダー片を各々肩に掛けることによって、容易に扁平板よりなる背当り部をトレーナの背中に装着することができ、該装着すべき背当り部の背面部側に設けられている重量設定部に所望の錘を取付けることにより予じめトレーナの筋力レベルに応じた所望の重量を設定しておけば、上記のようにトレーナが背中に同背当り部を装着した状態で腕立て伏せ運動を行うと、腕および胸部の筋肉には当該トレーナ自身の体重に加えて上記重量設定部に取付けられている錘の所望の重量が付加されるので、筋力の発達状態に応じて十分に腕および胸部の筋力を強く鍛練して行くことができるようになる。
【００１１】
そして、その場合、上記ショルダー部では、上記背当り部のＴ型形状の上片部両端の前面側に位置して、２本のショルダー片がトレーナの首の太さよりも広い間隔で、かつ同トレーナの首の太さよりも長い所定の長さ前方に延設されている。
【００１２】
したがって、トレーナが当該トレーニング装置本体を背中に装着する場合に、同ショルダー部の２本のショルダー片の間に首を通してトレーニング装置本体を確実に肩に掛けることができ、同２本のショルダー片がトレーニング状態では当該トレーニング装置本体が左右に外れるのを防止する。
【００１３】
また同２本のショルダー片が、トレーナが腕立て伏せ中において何らかの事情でフロア上に倒れた時などに錘りの荷重によって首部が損傷されるのを保護する役目をも果たすので非常に安全である。
【００１４】
また、本願発明の筋力トレーニング装置では、上記ショルダー部の各ショルダー片と背当り部を構成している扁平板との間には、上記ショルダー部の各ショルダー片と上記背当り部の扁平板を上記トレーナの脇部に対して締付ける締付手段が設けられている。
【００１５】
したがって、上記のようにしてトレーナがショルダー部の各ショルダー片を肩にかけ、背当り部を構成している扁平板を背負った状態で、当該締付手段を使用して上記ショルダー部の各ショルダー片と上記背当り部の扁平板を上記脇部に対して締め付けると、トレーナの背中に載せた背当り部を構成している略Ｉ型形状の扁平板をトレーナの肩および背中に対して位置ズレしないように強固にかつ安定した状態で装着することができる。
【００１６】
その結果、錘の支持状態も安定し、トレーニング作業が一層容易になる。
【００１７】
さらに、本願発明の筋力トレーニング装置では、上記重量設定部は、複数の錘を組合わせて取付けることによって、任意の重量を設定することができるようになっている。
【００１８】
したがって、上記重量設定部に容易に所望の重さの重量を設定することができるようになり、腕立て伏せ運動時にトレーナの背中に筋力の発達段階に応じた所望の重量を適切に負荷させることができるようになる。
【００１９】
さらに、また、本願発明の筋力トレーニング装置では、上記背当り部を構成している略Ｉ型の形状の扁平板の上下両片部の背面側左右両側位置に、所定の高さの掛止具に掛止められるアーム状の掛止部を設けている。したがって、トレーニング装置を使用しない時にはトレーニング装置本体を同アーム状の掛止部を利用して任意に所定の高さの掛止具に掛止めて置くようにすることができる。
【００２０】
また、このように、トレーニング装置本体が、所定の高さの掛止具に掛止められるように構成されていると、例えばその高さを任意に調節設定して置くことにより、トレーナの身長に応じて当該トレーニング装置本体を容易に背中に装着し、又背中から取外して掛止めることができるので、非常に便利となる。
【発明の効果】
【００２１】
以上の結果、上記本願発明によると、次のような有益な効果を得ることができる。
【００２２】
（１）  トレーニング装置本体を背中に装着した状態で腕立て伏せすることのみにより、ベンチプレスと同様の筋力トレーニングを手軽に実現することができるようになる。しかも、ベンチプレスと異なり、一般の家庭でも安全かつ簡易に腕や胸部の筋肉を強く鍛練することができるようになるので、コストもかからない。
【００２３】
（２）  ショルダー部の各ショルダー片と背当り部を構成している扁平板との間には、上記ショルダー部の各ショルダー片と上記背当り部を構成している扁平板をトレーナの脇部に対して締付ける締付手段が設けられており、該締付手段を用いて上記ショルダー部の各ショルダー片と上記背当り部を構成している扁平板をトレーナの脇部に対して締め付けて装着することにより、錘を一体化したトレーニング装置本体をトレーナの背中に強固に、かつ安定した状態で装着することができるので、安全であると同時にトレーニング時の使用感も良好となる。
【００２４】
（３）  重量設定部に複数の錘を任意に組合わせて取付けることによって、任意に所望の重量を設定することができることから、トレーナのトレーニング段階に応じて効果的に筋力をアップさせて行くことができるようになる。
【００２５】
（４）  トレーニング装置本体の背面側上下２個所にはアーム状の掛止部が設けられていて、所定の高さの掛止具に掛止められるように構成されているので、例えばその高さを任意に調節設定して置くことにより、トレーナの身長に応じて当該トレーニング装置本体を容易に背中に装着し、又背中から取外して掛止めることができ、非常に便利である。
【発明の実施の形態】
【００２６】
図１〜図５は、本願発明の実施の形態に係る筋力トレーニング装置とその掛止具の構成の一例を示している。
【００２７】
（トレーニング装置本体の構成）
本実施の形態の筋力トレーニング装置は、トレーナが腕立て伏せを行う時に背中に装着して使用し、腕や胸部の筋力を鍛練するためのベンチプレス用バーベル等の代替器具として使用されるようになっている。
【００２８】
そして、該筋力トレーニング装置は、例えば図１〜図３に示すような、トレーニング時においてトレーナの背中に背負われるトレーニング装置本体１と、例えば図４および図５に示すような、上記トレーニング装置本体１を非使用時において掛止め保管して置くための付属器具としての本体掛止具２０とを有して構成されている。
【００２９】
先ず、上記トレーニング装置本体１は、トレーニング時においてトレーナの背中に対応してトレーナの背中に載せられるＩ型の形状の扁平板よりなる背当り部３と、該背当り部３のＴ型形状の上片部３ａの前面側に設けられたショルダー部５と、上記背当り部３中央の縦片部３ｂの背面側略中央部に設けられた重量設定部である錘取付部７と、上記背当り部３の上片部３ａと下片部３ｃ各々の左右両側に所定長さ左右方向外方に延びて設けられた鉤形構造のアームよりなる上下一対の掛止め部１１，１１、１２，１２とから構成されている。
【００３０】
上記ショルダー部５は、上記Ｔ型形状の上片部３ａ前面部から所定長さ（トレーナの首の太さよりも長い長さ）前方に延設された細長い２本のショルダー片５ａ，５ａにより形成されている。そして、該２本のショルダー片５ａ，５ａには、その下面に各々スポンジ材等の弾性パッド５ｂ，５ｂが一体化して設けられ、相互に所定の間隔（トレーナの首の太さよりもやや広い間隔）を保った状態に保持されている。該ショルダー片５ａ，５ａは、トレーナが上記トレーニング装置本体１を背中に装着する場合に、当該ショルダー片５ａ，５ａ間に首を通してトレーニング装置本体１を肩に掛けることができるようになっている。また、同ショルダー片５ａ，５ａは、トレーニング状態では、当該トレーニング装置本体１が左右に外れるのを防止するとともにトレーナが何らかの事情でフロア上に倒れた時などに後述する錘り４ａ〜４ｃ・・・の荷重によって首部が損傷されるのを保護する役目を果たすようになっている。
【００３１】
もちろん、以上のように構成されたトレーニング装置本体１には、さらに必要に応じて、その背当り部３の前面側全体に亘って所定の厚さの弾性パッドが設けられる。
【００３２】
一方、上記錘取付部７は、図２および図３に示すように、複数の錘４ａ〜４ｃ・・・を取付けるための支軸７ａと該支軸７ａに嵌合した任意の数の錘４ａ，４ｂ，４ｃ・・・を固定するための固定具１０とからなっている。
【００３３】
支軸７ａは、所定の長さに設定されており、上記背当り部３の縦片部３ｂの略中央部背面側から後方に向けて垂直に所定の高さ起立して溶着一体化されている。また、錘４ａ〜４ｃ・・・は、適宜厚さで且つ重量に応じた適宜径の鉄盤により形成されており、例えば１ｋｇ，５ｋｇ，１０ｋｇ・・・等の各種の重量のものが準備されている。該錘４ａ〜４ｃ・・・の中心部には、上記錘取付部７の支軸７ａに嵌合するための支軸７ａの外径よりも若干大径の嵌合穴が形成されている。
【００３４】
そして、このように構成された錘取付部７は、その支軸７ａに対して任意の重さの任意の数の錘４ａ〜４ｃ・・・を嵌合して上記固定具１０で締結固定することによって所望の重量に設定されるようになっている。上記固定具１０は、図３に詳細に示すように、上記支軸７ａの外径よりも若干大きい内径を有し、かつ上記錘４ａ〜４ｃ・・・の嵌合穴よりも大きい外径の固定リング１０ａと該固定リング１０ａの側壁部を直交方向に貫通して螺合される操作レバー１０ｃ付きの締付ネジ１０ｂとからなっている。
【００３５】
さらに、上記ショルダー片５ａ，５ａの左右各外側と上記縦片部３ｂの両側には、例えば各々ベルト取付部６，６、９，９がそれぞれ設けられ、例えば相互に係合する第１，第２の締付ベルト（締付手段）８ａ，８ａ、８ｂ，８ｂの基端が取付けられている。この第１，第２の締付ベルト８ａ，８ａ、８ｂ，８ｂは、例えば上記背当り部３をショルダー片５ａ，５ａを介して背中に背負ったトレーニング装置本体の装着時において、上記ショルダー部５の各ショルダー片５ａ，５ｂと上記背当り部３を構成しているＩ型形状の扁平板をトレーナの体の脇部に対して締付けるのに十分な適宜長さの２本の平帯状のベルトからなっている。
【００３６】
該第１，第２の締付ベルト８ａ，８ａ、８ｂ，８ｂは、例えば各々その基端部が上記のようにトレーニング装置本体１の上記各取付部６，６、９，９に取付られている一方、例えば第１の締付ベルト８ａ，８ａの先端側２本の角形のＯリング部１６，１６と第２の締付ベルト８ｂ，８ｂの舌部１７，１７とが各々相互に係合して締付力調節可能に締結されるようになっている。
【００３７】
そして、該第１，第２の締付ベルト８ａ，８ａ、８ｂ，８ｂは、例えばトレーナが上記トレーニング装置本体１の背当り部３を背負って装着する時に、下方側第２の締付ベルト８ｂ，８ｂ部を脇部に通し、その先端側舌部１７，１７を上方側第１の締付ベルト８ａ，８ａの先端側２本のＯリング部１６，１６に挿通屈曲させて相互に係合締結することによって、上記トレーニング装置本体１のショルダー部５の各ショルダー片５ａ，５ｂと上記背当り部３の扁平板をトレーナの脇部に対して締付け、当該背中に背負った上記トレーニング装置本体１を肩部および背中部上に位置ズレしないように強固に、かつ安定して保持するようになっている。
【００３８】
（本体掛止具の構成）
一方、以上のような構成のトレーニング装置本体１を非使用状態において掛け止め保持する本体掛止具２０は、例えば図４及び図５に示す如く、下部側の基台２１と該基台２１に対して上下方向（図示矢印Ａ−Ｂ方向）に向けて伸縮自在に取付けられる上部側の本体掛止用フレーム２２とを備えて構成されている。該本体掛止具２０は、例えば一例として安定性を考慮して所定の重量のある鋼管製のもので形成されており、その高さが約１．５ｍ〜２ｍ程度とされている（トレーナの身長幅に対応）。
【００３９】
上記基台２１は、例えば床面上に水平方向に配設されたＵ字形状の底部フレーム２１ａと該底部フレーム２１ａから上方に垂直に起立した本体掛止用フレーム２２を支持するためのＨ字形状の支持枠２１ｂとからなっている。
【００４０】
上記Ｕ字形状の底部フレーム２１ａの横幅は、例えば上記トレーニング装置本体１の背当り部３の横幅よりも十分に広く形成されており、当該底部フレーム２１ａのフレーム内にトレーナが立ってトレーニング装置本体１を自由に装着することができるようになっている。該底部フレーム２１ａは、例えば、その両側片２３，２３の前後方向の略中央部から上記支持枠２１ｂの左右一対の縦片２４，２４が垂直に立設されている。
【００４１】
該支持枠２１ｂの縦片２４，２４の各上端部には、例えば係止ピン２５，２５を軸直交方向に嵌挿するための穴２６，２６が前後に貫通して形成されている。
【００４２】
また、他方本体掛止用フレーム２２は、例えば、その上下に長い左右一対の縦片２２ａ，２２ａの上方部上下２ケ所部分には上述したトレーニング装置本体１の左右両方向に延びたアーム状の上下掛止部１１，１１、１２，１２を各々係脱自在に掛止めするための掛止め片２７ａ，２７ａ、２７ｂ，２７ｂが上下方向に対応する間隔を保って設けられているとともに、下方部分には上記係止ピン２５，２５を挿入するための前後方向に貫通した複数の穴２８，２８・・、２８，２８・・が所定ピッチで上下方向の位置を異にして設けられている。
【００４３】
上記掛止め片２７ａ，２７ａ、２７ｂ，２７ｂは、それぞれ上記トレーニング装置本体１の上側掛止具１１，１１と下側掛止具１２，１２の両方を、例えば図５に示すように、その係合凹部２９，２９、２９，２９内に落し込んで係止することにより、トレーニング装置本体１を所望の高さ位置に安定して保持するようになっている。
【００４４】
また、該本体掛止用フレーム２２の上記左右一対の縦片２２ａ，２２ａは、例えばその外径が上記基台２１の支持枠２１ｂの左右一対の縦片２４，２４の内径よりもやや小径とされており、その下端部が上記基台２１側支持枠２１ｂの左右一対の縦片２４，２４内に上下方向（図示矢印Ａ−Ｂ方向）に向けて伸縮自在に嵌挿されている。
【００４５】
そして、同基台２１側支持枠２１ｂのように縦片２４，２４に対して当該縦片２２ａ，２２ａを上下方向（図示矢印Ａ−Ｂ方向）に向けて適宜に伸縮させて上記係止ピン２５，２５により係止固定すると、上記係止されるトレーニング装置本体１がトレーナの身長に応じて最適な高さとなる状態に保持されるように上記掛止め片２７ａ，２７ａ、２７ｂ，２７ｂの位置が設定され、それによって決定される位置に上記トレーニング装置本体１の掛止具１１，１１、１２，１２を図５実線のように係止することにより、トレーニング装置本体１装着時にトレーナの身長に対応して立ったまま１人で容易に装着することができるようになる。
【００４６】
（トレーニング装置本体の使用方法）
以上のように構成された本実施の形態の筋力トレーニング装置本体は、例えば次のようにして使用される。
【００４７】
即ち、この筋力トレーニング装置は、例えば家庭内で腕立て伏せをするに際して、先ず上記本体掛止具２０の上記掛止め片２７ａ，２７ａ、２７ｂ，２７ｂに対して例えば図５実線のように上記トレーニング装置本体１の掛止具１１，１１、１２，１２が係止されている状態において、同トレーニング装置本体１に対してトレーナが背を向けて立ち、若干膝を折りながら、先ず当該トレーニング装置本体１の上記ショルダー部５のショルダー片５ａ，５ａ間に首を通すとともに、その背中を上記背当り部３に合わせて同ショルダー片５ａ，５ａを肩に掛けて、膝を伸ばす。すると、上記トレーニング装置本体１の上記上下掛止具１１，１１、１２，１２が上記掛止め片２７ａ，２７、２７ｂ，２７ｂのフラット部３０，３０、３０，３０上に移動して仮止めされた状態となる。この時、上記トレーニング装置本体１の錘取付部７には、予じめ上記本体掛止具２０への係止状態において所望の重量となるように複数の錘り４ａ〜４ｃが図２、図３のように取付けられている。
【００４８】
続いて、このような状態で、上記左右一対の第１，第２の締付ベルト８ａ，８ａ、８ｂ，８ｂを相互に締結する。これにより、上記トレーニング装置本体１が、当該トレーナの肩および背中に対し、上記ショルダー片５ａ，５ａの左右方向への係止作用とも相乗して確実に位置ズレしないように強固にかつ安定した状態で装着される。そして、その後、若干背伸びしつつ前方に移動することにより、上記トレーニング装置本体１側の掛止部１１，１１、１２，１２を上記本体掛止具２０の掛止め片２７ａ，２７ａ、２７ｂ，２７ｂのフラット部３０，３０、３０，３０から外し、床に手をつき同トレーニング装置本体１を背中に載せた状態で適宜に可能な回数腕立て伏せを行う。
【００４９】
この時、当該トレーナの背中には、上記トレーニング装置本体１の重量と上記錘取付部７の錘４ａ〜４ｃの重量とが負荷され、同状態で腕立て伏せをすると、当該トレーナ自身の体重に加えて上記トレーニング装置本体１の重量及び錘取付部７の錘４ａ〜４ｃの重量をそれぞれ両腕および胸部の筋肉に作用させることができる。その結果、腕の筋肉はもちろん、胸の筋肉を強く鍛練増強することができ、ベンチプレストレーニングを行ったのと同様のトレーニング効果を得ることができる。しかも、この場合、バーベルのように左右２組の錘りを取り替えて重量調節するのに比べて、錘りの交換は１個で足りるので便利である。
【００５０】
他方、上記腕立て伏せの運動が終わると、上記トレーニング装置本体１を上記本体掛止具２０の上記掛止め片２７ａ，２７ａ、２７ｂ，２７ｂに元のように係止する。これにより、上記トレーニング装置本体１を例えば部屋の片隅に小スペースで簡易に保管することができる。
【００５１】
したがって、上記本実施の形態の筋力トレーニング装置では、例えば家庭内で手軽に腕立て伏せ運動をするだけで、ベンチプレストレーニングを行ったのと同様に腕および胸部の筋肉を強く鍛練増強することができる。
【００５２】
さらに、この筋力トレーニング装置では、トレーニング装置本体１を本体掛止具２０に係止して保管できることから、本体掛止具２０を部屋の片隅や壁際に置いておくことにより、トレーニング装置本体１を邪魔にならずに小スペースで簡易に保管することができる。また、装着も１人でできる。
【００５３】
（他の実施の形態）
なお、本願発明の筋力トレーニング装置における重量設定部は、上述のように錘取付部に対して複数枚の鉄盤製の錘を組合わせて取付けることによって構成する以外に、例えばタンク部を設置して置いて、その中に入れる水又は砂などの量を変えることによって構成することができ、さらに、その他の考えられる各種の方法によって、任意の重量を設定可能な構成にすることができる。
【００５４】
また、本願発明の筋力トレーニング装置において、ショルダー部と背当り部との間に設けられる締付ベルトは、必ずしも上述のような構成のものに限られるものではなく、例えば車両のシートベルトタイプのもの、また伸縮自在な弾性ベルトタイプのものなどの種々の変形が可能である。
【図面の簡単な説明】
【図１】  本願発明の実施の形態に係る筋力トレーニング装置本体の全体構成を示す斜視図である。
【図２】  本願発明の実施の形態に係る筋力トレーニング装置本体の要部の構成を示す断面図である。
【図３】  同筋力トレーニング装置本体の要部の構成を示す拡大断面図である。
【図４】  同筋力トレーニング装置の本体掛止具の斜視図である。
【図５】  同筋力トレーニング装置のトレーニング装置本体の掛止部の要部の作用の説明図である。
【符号の説明】
１はトレーニング装置本体、３は背当り部、５はショルダー部、７は錘取付部、８ａ，８ｂは第１，第２の締付ベルト、２０は本体掛止具である。
【図１】
0003927278.tif 000002
【図２】
0003927278.tif 000003
【図３】
0003927278.tif 000004
【図４】
0003927278.tif 000005
【図５】
0003927278.tif 000006